(57)【要約】【課題】この発明は、紫外線ランプを移動することができるようにして照射エリアを拡大した水虫治療等のために用いる家庭用の紫外線治療器に関する。【解決手段】紫外線治療器は、上部ケーシングの左足載置部と右足載置部の載置面にはほぼ全域に亘って開口された複数の紫外線照射口と、上部ケーシングに設けられて前記左右の足載置部に挿入される足の有無を検知する左右の足センサーと、下部ケーシングに設けられて上記左右の足載置部の横幅方向に対応して配置された左右の紫外線ランプと、該紫外線ランプを支持するランプ支持部材と、該ランプ支持部材を前記左および右足載置部の下方で前後方向に沿って移動可能な前後移動手段とを備えてなることを特徴とする。【選択図】  図４【特許請求の範囲】
【請求項１】
左足載置部と右足載置部が形成されるように両足を揃えて載せることができる大きさとした上部ケーシングと、該上部ケーシングを支持する下部ケーシングと、前記上部ケーシング上に両足の爪先から甲の部分を覆う大きさで上部ケーシング上に取り付けたカバーとからなる紫外線治療器において、
上部ケーシングの左足載置部と右足載置部の載置面にはほぼ全域に亘って開口された複数の紫外線照射口と、
上部ケーシングに設けられて、前記左足載置部および右足載置部に挿入される足の有無を検知する左足センサーおよび右足センサーと、
下部ケーシングに設けられて、上記左足載置部および右足載置部の横幅方向に対応して配置された左側紫外線ランプおよび右側紫外線ランプと、
該左側紫外線ランプおよび右側紫外線ランプを支持するランプ支持部材と、
下部ケーシングに設けられて、上記ランプ支持部材を前記左足載置部および右足載置部の下方で前後方向に沿って移動可能な前後移動手段とを備えてなることを特徴とする紫外線治療器。
【請求項２】
前後移動手段が、下部ケーシングに両端が軸受けされると共に、外周にネジが刻設された回転軸と、該回転軸を回転させるモータと、ランプ支持部材に設けられると共に内周面にネジが刻設されて前記回転軸に螺合し、回転軸に沿って螺進退可能な筒状の受部とからなっていることを特徴とする請求項１に記載の紫外線治療器。
【請求項３】
前後移動手段と左側紫外線ランプおよび右側紫外線ランプとを制御するコントローラが設けられており、
該コントローラは、左足センサーまたは右足センサーが左右双方または一方の足の挿入を検知すると、前後移動手段を所定の運転モードで運転すると共に、検知した左足センサーまたは右足センサーに対応する左側紫外線ランプまたは右側紫外線ランプを点灯し、
左足センサーおよび右足センサーが、左右双方の足の挿入が無いと検知すると前後移動手段の運転を停止し、左側紫外線ランプおよび右側紫外線ランプを消灯してなることを特徴とする請求項１に記載の紫外線治療器。
【請求項４】
ランプ支持部材の位置を検出する位置検出センサーを前後移動手段の移動範囲内に複数設置しておき、ランプ支持部材の移動を前後移動手段の移動範囲内で前記位置検出センサーの検出位置を基準として移動する複数の運転モードに設定することができることを特徴とする請求項３に記載の紫外線治療器。
【請求項５】
上部ケーシングに前後移動手段によってランプ支持部材を移動させる運転モードの入力部が設けられており、
該運転モードが、ランプ支持部材を左足載置部および右足載置部の前方位置となるつま先位置で静止させる第１モードと、ランプ支持部材を前方位置と中央位置との間で往復移動させる第２モードと、ランプ支持部材を中央位置と後方位置となるかかと位置との間で往復移動させる第３モードと、ランプ支持部材を前方位置と後方位置との間で往復移動させる第４モードとからなっており、
下部ケーシングにランプ支持部材の前方位置と、中央位置と、後方位置とをそれぞれ検出する位置検出センサーが設けられており、
コントローラによって入力部で入力された運転モードに従って前後移動手段を制御してなることを特徴とする請求項３に記載の紫外線治療器。
【請求項６】
コントローラの入力側に左足センサーと、右足センサーと、位置検出センサーと、運転モードの入力部とが接続され、出力側に前後移動手段のモータと、左側紫外線ランプと、右側紫外線ランプと、左足載置部および右足載置部の前方側から送風する送風用のファンとが接続されており、
該コントローラは、左足センサーおよび右足センサーの双方または一方が検知信号を出力すると、左側紫外線ランプおよび右側紫外線ランプの双方または一方を点灯すると共にファンを作動し、前記入力された作動モードに従って移動手段のモータの回転を制御して、ランプ支持部材を所定位置で静止し、または所定範囲で前後に移動させてなることを特徴とする請求項３に記載の紫外線治療器。
【請求項７】
足裏形状に形成された左足載置部と右足載置部とが上部ケーシングの基板部より下方へ窪んで形成されると共に、少なくとも１個所で連通する凹溝部を有しており、
前記窪んだ左足載置部と右足載置部に嵌合可能な足プレートを設け、
該足プレートは、左足載置部と右足載置部の足裏形状より僅かに小さい相似形からなる左足片部と右足片部と前記凹溝部に対応する個所で左足片部と右足片部とを一体に接続する接続片部とからなっており、前記左足片部と右足片部には、左足載置部と右足載置部の紫外線照射口と整合して連通する補助照射口を穿設してなることを特徴とする請求項１の紫外線治療器。
【発明の詳細な説明】
【技術分野】
【０００１】
この発明は、水虫治療等のために用いる家庭用の紫外線治療器に関するものである。
【背景技術】
【０００２】
足などの皮膚に白癬菌が寄生する水虫などの疾患に対して、紫外線を照射することで殺菌できることが知られており、一般家庭などで使用することができる従来の家庭用の紫外線治療器として、例えば実用新案登録第３０９０２７３号に示すように、左足載置部と右足載置部が形成されるように両足を揃えて載せることができる大きさとした上部ケーシングと、該上部ケーシングを支持する下部ケーシングと、上記上部ケーシング上に載せた両足の爪先から甲の部分を覆えるように上部ケーシング上に取り付けたカバーとからなる紫外線治療器本体を備え、且つ上記上部ケーシングの左右の足領域の前側位置に前側紫外線照射口をそれぞれ開口させると共に、上記上部ケーシングの後側位置の左右方向の中央部に、左右方向へ向けてそれぞれ開口する中央紫外線照射口を設け、更に、上記上部ケーシングと下部ケーシングとの間に、上記各紫外線照射口の位置に合わせて紫外線ランプをそれぞれ設置した構成の紫外線治療器が開示されている。
そして、この構成では、紫外線ランプとして、前方の左右で横向きにした一対の紫外線ランプと、後方の中央で縦向きにした１つの紫外線ランプを固定して足に照射する構成からなっている。
【特許文献１】実用新案登録第３０９０２７３号  図３参照
【発明の開示】
【発明が解決しようとする課題】
【０００３】
上記家庭用の紫外線治療器の場合、紫外線ランプは固定された位置にセットしてあるので、足裏全体を照射することができず、足指に対応する足裏の前方位置に限られてしまうという欠点があった。
この発明は、上記事情に鑑みて創案されたものであって、その主たる課題は、紫外線ランプを足裏の長さ方向に沿って前後に移動させることができるようにした家庭用の紫外線治療器を提供することにある。
【課題を解決するための手段】
【０００４】
この発明は、上記課題を解決するために、請求項１の発明では、
左足載置部と右足載置部が形成されるように両足を揃えて載せることができる大きさとした上部ケーシングと、該上部ケーシングを支持する下部ケーシングと、前記上部ケーシング上に両足の爪先から甲の部分を覆う大きさで上部ケーシング上に取り付けたカバーとからなる紫外線治療器において、
上部ケーシングの左足載置部と右足載置部の載置面にはほぼ全域に亘って開口された複数の紫外線照射口と、
上部ケーシングに設けられて、前記左足載置部および右足載置部に挿入される足の有無を検知する左足センサーおよび右足センサーと、
下部ケーシングに設けられて、上記左足載置部および右足載置部の横幅方向に対応して配置された左側紫外線ランプおよび右側紫外線ランプと、
該左側紫外線ランプおよび右側紫外線ランプを支持するランプ支持部材と、
下部ケーシングに設けられて、上記ランプ支持部材を前記左足載置部および右足載置部の下方で前後方向に沿って移動可能な前後移動手段とを備えてなることを特徴とする。
請求項２の発明では、
前後移動手段が、下部ケーシングに両端が軸受けされると共に、外周にネジが刻設された回転軸と、該回転軸を回転させるモータと、ランプ支持部材に設けられると共に内周面にネジが刻設されて前記回転軸に螺合し、回転軸に沿って螺進退可能な筒状の受部とからなっていることを特徴とする。
また、請求項３の発明では、
前後移動手段と左側紫外線ランプおよび右側紫外線ランプとを制御するコントローラが設けられており、
該コントローラは、左足センサーまたは右足センサーが左右双方または一方の足の挿入を検知すると、前後移動手段を所定の運転モードで運転すると共に、検知した左足センサーまたは右足センサーに対応する左側紫外線ランプまたは右側紫外線ランプを点灯し、
左足センサーおよび右足センサーが、左右双方の足の挿入が無いと検知すると前後移動手段の運転を停止し、左側紫外線ランプおよび右側紫外線ランプを消灯してなることを特徴とする。
また、請求項４の発明では、
ランプ支持部材の位置を検出する位置検出センサーを前後移動手段の移動範囲内に複数設置しておき、ランプ支持部材の移動を前後移動手段の移動範囲内で前記位置検出センサーの検出位置を基準として移動する複数の運転モードに設定することができることを特徴とする。
また、請求項５の発明では、
上部ケーシングに前後移動手段によってランプ支持部材を作動させる運転モードの入力部が設けられており、該運転モードが、ランプ支持部材を左足載置部および右足載置部の前方位置となるつま先位置で静止させる第１モードと、ランプ支持部材を前方位置と中央位置との間で往復移動させる第２モードと、ランプ支持部材を中央位置と後方位置となるかかと位置との間で往復移動させる第３モードと、ランプ支持部材を前方位置と後方位置との間で往復移動させる第４モードとからなっており、
下部ケーシングにランプ支持部材の前方位置と、中央位置と、後方位置とをそれぞれ検出する位置検出センサーが設けられており、
コントローラによって入力部で入力された運転モードに従って前後移動手段を制御してなることを特徴とする。
更に、請求項６の発明では、
コントローラの入力側に左足センサーと、右足センサーと、位置検出センサーと、運転モードの入力部とが接続され、出力側に前後移動手段のモータと、左側紫外線ランプと、右側紫外線ランプと、左足載置部および右足載置部の前方側から送風する送風用のファンとが接続されており、
該コントローラは、左足センサーおよび右足センサーの双方または一方が検知信号を出力すると、左側紫外線ランプおよび右側紫外線ランプの双方または一方を点灯すると共にファンを作動し、前記入力された作動モードに従って移動手段のモータの回転を制御して、ランプ支持部材を所定位置で静止し、または所定範囲で前後に移動させてなることを特徴とする。
また、請求項７の発明では、
足裏形状に形成された左足載置部と右足載置部とが上部ケーシングの基板部より下方へ窪んで形成されると共に、少なくとも１個所で連通する凹溝部を有しており、
前記窪んだ左足載置部と右足載置部に嵌合可能な足プレートを設け、
該足プレートは、左足載置部と右足載置部の足裏形状より僅かに小さい相似形からなる左足片部と右足片部と前記凹溝部に対応する個所で左足片部と右足片部とを一体に接続する接続片部とからなっており、前記左足片部と右足片部には、左足載置部と右足載置部の紫外線照射口と整合して連通する補助照射口を穿設してなることを特徴とする。
【発明の効果】
【０００５】
この発明の紫外線治療器は、左側および右側紫外線ランプを足裏の長さ方向に沿って前後に移動させることができるようにしたので、足裏のいずれの個所であっても前記紫外線ランプを照射することができる。
また、ランプ支持部材を用いることで、左側および右側紫外線ランプを一体にして移動手段を用いて同時に移動することができるので構造を簡略化することができる。
更に、ランプ支持部材の位置を検出するセンサーを設けることで、ランプ支持部材の移動の範囲を制御することができ、使用者が希望する場所で前記紫外線ランプを足裏に照射することができ、極めて有益である。
【図面の簡単な説明】
【０００６】
【図１】実施例１に係る紫外線治療器の平面図である。
【図２】同側面図である。
【図３】カバーを外した状態の紫外線治療器の側面図である。
【図４】（ａ）はカバー、（ｂ）は上部ケーシング、（ｃ）は下部ケーシングの断面図である。
【図５】上部ケーシングの平面図である。
【図６】下部ケーシングの平面図である。
【図７】ランプ支持部材の要部拡大図である。
【図８】足プレートの平面図である。
【図９】カバーの取付を説明する要部拡大図であって（ａ）はカバー止め摘みの摺動状態、（ｂ）は同掛止状態を示す。
【図１０】コントローラの制御の一例を示すフローチャートである。
【符号の説明】
【０００７】
１    上部ケーシング
２    下部ケーシング
３    カバー
４    係合突片
５    空間部
６    ファン
６ａ  通風孔  
７ａ、７ｂ  左足センサー
８ａ、８ｂ  右足センサー
９    足プレート
１０    紫外線治療器
１１    台板  
１２    周壁部
１２ａ  天頂部
１３    前方空間
１４Ｌ    左足載置部
１４Ｒ    右足載置部
１４ａ、１４ｂ  紫外線照射口
１５ａ  前方仕切部
１５ｂ  中間仕切部
１５ｃ  後方仕切部
１６ａ  第１隙間部
１６ｂ  第２隙間部
１７    運転ランプ
２１    底板
２２    周壁部
２２ｂ  上端段部
２３    ネジ棒
２４    ランプ支持部材
２５Ｌ、２５Ｒ  左右のリフレクター
２６Ｌ  左側紫外線ランプ
２６Ｒ  右側紫外線ランプ
３０    第２取付孔
３５    カバー止め摘み
３６    軸
３７    係合受片
４０    第１取付孔
Ｓ１    運転入／切スイッチ
Ｓ２    設定スイッチ
Ｇ１〜Ｇ３  ガイド軸
Ｈ１〜Ｈ３  受筒部
【発明を実施するための最良の形態】
【０００８】
この発明は、左側紫外線ランプと右側紫外線ランプとをランプ支持部材で支持し、該ランプ支持部材を前後移動手段で左足載置部および右足載置部の前後方向に沿って移動させることで、足裏の全ての領域を前記紫外線ランプで照射することを実現した。
【実施例１】
【０００９】
以下に、この発明の実施例について図面を参照しながら説明する。
［紫外線治療器］
紫外線治療器１０は、図１および図２に示すように、卵形平面形状として両足を揃えて載せることができるような大きさとした上部ケーシング１と、該上部ケーシング１を支持し、且つ上部ケーシング１との間に所要の空間部５を形成する下部ケーシング２と、上記上部ケーシング１上に載せた両足の爪先から甲の部分を覆えるような湾曲形状として上部ケーシング１上に着脱自在に取り付けるようにしたカバー３とからなっている。【００１０】
［上部ケーシング］
上部ケーシング１は、下面が開口した略箱形であって、図３（ｂ）および図４に示すように、前側を後側よりもやや高くした台板１１を有している。
該台板１１の周囲を囲む周壁部１２は、上向きに折り曲げてから天頂部１２ａを介して外側へ下向きに折り返した断面アングル状の二重殻構造からなっている。
該二重殻構造とした周壁部１２のうち、前縁部１２Ｆから左右の側縁部１２Ｌ，１２Ｒの中間の位置までの高さをやや高くしている。【００１１】
また前縁部１２Ｆは幅広に形成されて前方空間１３が形成されており、ファン６が内蔵されている。
また、上部ケーシング１の前縁部１２Ｆの外面には、左右一対の係合突片４が垂設されており、後述の下部ケーシング２の周壁部２２の前縁部２２Ｆ内に入り込み、カバー３に設けて垂下する係合受片３７と係合しうるようになっている（図３（ａ）参照）。【００１２】
上記台板１１には、図４で示すように、足裏形状に形成されて台板１１のレベル面より僅かに窪んだ左足載置部１４Ｌと右足載置部１４Ｒとが形成されている。
この左足載置部１４Ｌと右足載置部１４Ｒには、その全面にわたって縦横に規則的に並んだ小孔からなる紫外線照射口１４ａ，１４ｂが開口形成されている。【００１３】
上記左足載置部１４Ｌと右足載置部１４Ｒとを除く台板１１の中央は、その前方が前縁部１２Ｆからなだらかに下降して中途位置まで延びる略半円筒状に隆起した前方仕切部１５ａが形成されている。
この前方仕切部１５ａの近傍には、細長い通風孔６ａが穿設されており、前記ファン６からの微風を通風孔６ａから足先へ吹き出すことができようになっている。【００１４】
この前方仕切部１５ａの中央後方には、前記左足載置部１４Ｌと右足載置部１４Ｒとを前方寄りで同一面でつなぐ第１隙間部１６ａが設けられており、該第１隙間部１６ａを介して中間位置には、平面から見て略台形状に細長く延びて台板１１のレベル面まで隆起する中間仕切部１５ｂが形成されている。【００１５】
そして、中間仕切部１５ｂの中央後方には、前記左足載置部１４Ｌと右足載置部１４Ｒとを後方寄りで同一面でつなぐ第２隙間部１６ｂが設けられており、該第２隙間部１６ｂを介して中央後方には、平面から見て略扇形状に隆起して台板１１のレベル面に設定された後方仕切部１５ｃが形成されている。
この後方仕切部１５ｃの左右両側は、上部ケーシング１の周壁部１２に沿って前記左足載置部１４Ｌと右足載置部１４Ｒを囲むように延び、前方仕切部１５ａの左右両側に一体に連接される構成となっている。【００１６】
そして、前方仕切部１５ａの先端には、左右両側にそれぞれ一方の左足センサー７ａと右足センサー８ａ（例えば検知信号発進側）を設けておき、これと対峙する左右の側縁部１２Ｌ，１２Ｒの内殻部分には他方の左足センサー７ｂと右足センサー８ｂ（例えば検知信号受信側）を取り付けておき、左足載置部１４Ｌでの左足の挿入の有無を、前記一対の左足センサー７ａと７ｂで検知し、右足載置部１４Ｒでの右足の挿入の有無を前記一対の右足センサー８ａと８ｂで検知することができるようになっている。
これにより、左右両足双方の有無の検出と、左足または右足のいずれか一方の検出とを行うことができる。【００１７】
前縁部１２Ｆの天頂部１２ａには運転ランプ１７が設けられている。
また、前記後方仕切部１５ｃの上面には、設定ランプとして、本実施例では、「つま先」ランプＤ１と、「中央」ランプＤ２と、「かかと」ランプＤ３の３つの表示ランプが縦に並んでいる。
更に、その後方の周壁部には、その頂面に運転入／切スイッチＳ１と設定スイッチＳ２とが設けられている。【００１８】
「運転入／切」スイッチＳ１は、これを投入すると、運転ランプ１７が点灯し、後述の運転モードの設定の準備ができる。
２度目に前記スイッチＳ１を押すとスピーカＳＰから終了音が発せられ、全てのランプ１７、２６Ｌ，２６Ｒ、Ｄ１からＤ３が消灯する。【００１９】
［下部ケーシング］
次に、下部ケーシング２は、図３（ｃ）および図５に明瞭なように、上面が開口した略箱形であって、底板２１の周囲を覆う周壁部２２の上端に、上部ケーシング１の台板１１の周壁部１２の下端に形成された下端段部１２ｂに掛止める上端段部２２ｂを設けている。
そして、下部ケーシング２の周壁部２２の上端段部２２ｂと上部ケーシング１の周壁部１２の下端段部１２ｂを掛け止めて組み立てる。
なお、符号２９は下部ケーシング２の前方に固定された脚台である。【００２０】
これにより、上部ケーシング１と下部ケーシング２とが略ボックス状に組み立てられ、上部ケーシング１の台板１１と下部ケーシング２の底板２１との間に空間部５が形成される。
また、周壁部２２の前縁部２２Ｆの外表面には窓孔Ｗが穿設されており（図８参照）、前記ファン６が作動する際に外気を取り込むことができるようになっている。【００２１】
なお、上部ケーシング１には、下方へ垂下する左右一対のガイド軸Ｇ１〜Ｇ３が前後および中央に突設されており、下部ケーシング２には上記ガイド軸Ｇ１〜Ｇ３を嵌合して受ける受筒部Ｈ１〜Ｈ３が対応位置に突設されており、上部ケーシング１と下部ケーシング２の組立時の位置決めを容易にしている（図３（ｂ）（ｃ）参照）。【００２２】
また、本実施例では、図５に明瞭なように下部ケーシング２の底板２１には、その中心線に沿って前後に延びるネジ棒２３の両端が軸受部２４ｂによって軸支されて、回転可能となっており、該ネジ棒２３の先端側には回転の駆動源となるモータＭが接続されている。
このネジ棒２３には、ランプ支持部材２４が進退可能に取り付けられている。
ランプ支持部材２４は、その中央に筒部２４Ａが設けられており、該筒部２４Ａの内周面にはネジが刻設されており、ネジ棒２３と螺合している（図５、６参照）。【００２３】
上記ランプ支持部材２４は、筒部２４Ａの左右両側にネジ棒２３と直交して水平に延びる左右一対の翼片部２４Ｌ、２４Ｒを有している。
この一対の翼片部２４Ｌ、２４Ｒのそれぞれ先端には、ヨーク２７Ｌ、２７Ｒを介して左右一対の補助輪２８Ｌ、２８Ｒが軸支されている。【００２４】
一方、底板２１には、前記ネジ棒２３と平行して、前記補助輪２８Ｌ、２８Ｒのトラッド面と接するガイドレール２９Ｌ、２９Ｒが形成されている。
このガイドレール２９Ｌ、２９Ｒは、断面チャンネル状のレール内に、滑性または緩衝性を有するシートを固着したもので、前記補助輪２８Ｌ、２８Ｒの回転をスムーズにしたり、騒音の発生を抑えたりすることができる。【００２５】
従って、ネジ棒２３の正逆回転によって筒部２４Ａを介してランプ支持部材２４は補助輪２８Ｌ、２８Ｒによって水平姿勢を維持しながらネジ棒２３に沿って螺進退する。
また、この左右の翼片部２４Ｆ、２４Ｒには、左右それぞれにリフレクター２５Ｌ，２５Ｒを介して左右側の紫外線ランプ２６Ｌ，２６Ｒを設置している。
この左右側の紫外線ランプ２６Ｌ，２６Ｒは、本実施例では石英管製の高電圧放電管を採用している。【００２６】
上記左側紫外線ランプ２６Ｌと右側紫外線ランプ２６Ｒは、前記左足載置部１４Ｌと右足載置部１４Ｒの横幅にほぼ対応する長さに設定されている。
これにより、前記ネジ棒２３の回転で、ランプ支持部材２４を介して前記紫外線ランプ２６Ｌ，２６Ｒを移動させ、前記左足載置部１４Ｌと右足載置部１４Ｒのそれぞれの紫外線照射口１４ａ，１４ｂから足裏に紫外線を照射することができる。【００２７】
［位置検出センサー］
なお、本実施例では、前記ランプ支持部材２４の位置を検出するリミットスイッチなどの位置検出センサーＬＳ１〜ＬＳ３が下部ケーシング２に設けられている（図５参照）。
即ち、先端位置検出センサーＬＳ１は、ネジ棒２３の先端の横側に配置されて、ランプ支持部材２４がネジ棒２３の先端位置にくるとこれを検出する。【００２８】
中途位置検出センサーＬＳ２は、ネジ棒２３の中途位置の横側に配置されており、ランプ支持部材２４がネジ棒２３の中途位置にくるとこれを検出する。
後端位置検出センサーＬＳ３は、ネジ棒２３の後端の横側に配置されており、ランプ支持部材２４がネジ棒２３の後端位置にくるとこれを検出する。【００２９】
［運転モード］
本実施例では、前記設定スイッチＳ２の投入により、一例として４つの運転モードを選択可能に有している。
即ち、モード１では、後述のランプ支持部材２４を、先端位置検出センサーＬＳ１で検出される先端位置で静止させ（移動させず）、左側紫外線ランプ２６Ｌと右側紫外線ランプ２６Ｒを作動させる。
また、このモード１が選択された場合には、前記「つま先」ランプＤ１が点滅する。【００３０】
モード２では、ランプ支持部材２４は、先端位置検出センサーＬＳ１で検出される先端位置と中途位置検出センサーＬＳ２で検出される中途位置の間をネジ棒２３の回転で往復移動し、左右側の紫外線ランプ２６Ｌ，２６Ｒを作動させる。
また、このモード２が選択された場合には、前記「つま先」ランプＤ１と「中央」ランプＤ２とが点滅する。【００３１】
モード３では、ランプ支持部材２４は、中途位置検出センサーＬＳ２で検出される中途位置と後端位置検出センサーＬＳ３で検出される後端位置の間をネジ棒２３の回転で往復移動し、左右側の紫外線ランプ２６Ｌ，２６Ｒを作動させる。
また、このモード２が選択された場合には、前記「中央」ランプＤ２と「かかと」ランプＤ３とが点滅する。【００３２】
モード４では、ランプ支持部材２４は、先端位置検出センサーＬＳ１で検出される先端位置と後端位置検出センサーＬＳ３で検出される後端位置の間をネジ棒２３の回転で往復移動し、左右側の紫外線ランプ２６Ｌ，２６Ｒを稼働させる。
また、このモード２が選択された場合には、前記「つま先」ランプＤ１と「中央」ランプＤ２と「かかと」ランプＤ３とが点滅する。【００３３】
［足プレート］
次に、図７は、左足載置部１４Ｌと右足載置部１４Ｒの上に嵌合される足プレート９である。
この足プレート９は、左足載置部１４Ｌと右足載置部１４Ｒに対応する左足裏片１４Ｌ’と右足裏片１４Ｒ’を有し、左足裏片１４Ｌ’と右足裏片１４Ｒ’とは第１隙間部１６ａに対応する上方連設片１６ａ’と、第２隙間部１６ｂに対応する下方連設片１６ｂ’とによって一体に連結されており、また左足裏片１４Ｌ’と右足裏片１４Ｒ’には、紫外線照射口１４ａ，１４ｂに対応して連通する補助紫外線照射口１４ａ’，１４ｂ’が穿設されている。
この足プレート９を用いることで、ユーザーが複数人いても、各自が自分の足プレートを使用することができ衛生的である。【００３４】
［カバー］
次に、図３（ａ）に示すカバー３は、半透明の樹脂製としてＵＶカット機能をもたせている。
このカバー３には左右側面の後方下部に、下端から立ち上がる挿入孔部４１と、その上端から後方へ略水平に延びる延出孔部４２と、その後端で上下に縦長に延びる掛止孔部４３とからなる第１取付孔４０が穿設されている。【００３５】
一方、上部ケーシング２の周壁部１２の中途位置で、カバー３を取り付けた際に第１取付孔４０と対応する個所には、前記第１取付孔４０に整合するように対応して後方に略水平に延びる延出孔部３２とその後端で上下に縦長に延びる掛止孔部３３となる第２取付孔３０が穿設されている。
そして、該第２取付孔３０にカバー止め摘み３５が該孔３０から抜け落ちないように内側に抜止部を設けて摺動可能に装着されている。【００３６】
上記第１取付孔４０および第２取付孔３０を通るカバー止め摘み３５の軸３６は、断面が略長方形ないし長楕円形状のように縦と横の長さが異なっており、該軸３６を短手側に倒すと孔３０、４０を略水平に摺動でき、後端の縦長の孔に入ることでカバー止め摘み３５を９０度回転して軸３６を長手側に回転し、カバー止め摘み３５を縦長の孔内に拘束することができるようになっている（図９参照）。【００３７】
従って、カバー止め摘み３５の軸３６を短手側に倒して前記延出孔部３２の図中後方へ摺動しておき、前記第１取付孔４０と第２取付孔３０とを揃えて、前記カバー止め摘み３５の軸３６を第１取付孔４０の挿入孔部４１に下から挿入し、該軸３６を、整合した延出孔部３２、４２に沿って前方に摺動させ、掛止孔部３３、４３の上端で前記摘み３５を９０度回転して縦長の掛止孔部３３、４３に軸３６を押し下げて挿入し拘束することでカバー３を上部ケーシング２に取り付けることができる。【００３８】
［コントローラ］
次に、上部ケーシング１と下部ケーシング２とで形成される空間部５には、マイクロコンピュータ構成のコントローラＣが設けられている。
該コントローラＣは、前記設定スイッチＳ２と、左足センサー７ａ，７ｂと、右足センサー８ａ、８ｂと、３つの位置検出センサーＬＳ１〜ＬＳ３とが入力側に接続されており、出力側にはモータＭと、左右側の紫外線ランプ２６Ｌ，２６Ｒと、スピーカＳＰと、運転ランプ１７と、設定ランプＤ１〜Ｄ３と、ファン６とが接続されている。【００３９】
このコントローラＣの作用を、図１０のフローチャートに示す。
使用に際しては、運転入／切スイッチＳ１をＯＮにすると、運転ランプ１７が点灯し、各センサーがＯＮになる（ステップ５１）。
次いで、設定スイッチＳ２を操作（ステップ５２）して、運転モードを選択する（ステップ５３）。
本実施例では設定スイッチを１回おす毎に、運転モードが順番に切り替わるようになっている。
そして、使用者の足をカバー３内に入れ、片足のみを治療するときは、上部ケーシング１上の左足載置部１４Ｌ又は右足載置部１４Ｒに片足を挿入し、両足を同時に治療するときは両足を挿入する。【００４０】
これにより左足センサー７ａ、７ｂおよび右足センサー８ａ、８ｂのいずれかが足を検知する（ステップ５４）と運転開始と判定（ステップ５５）し、コントローラＣは、ファン６と運転ランプ１７を作動させ（ステップ５６）、前記設定されたモードに従って、モータＭを制御する（ステップ５７）。
即ち、位置検出センサーＬＳ１〜ＬＳ３の検知信号に従って、ネジ棒を静止または正逆回転させてランプ支持部材２４の移動を制御する。
また左足センサー７ａ、７ｂおよびまたは右足センサー８ａ、８ｂで足が検出された左側紫外線ランプ２６Ｌおよびまたは右側紫外線ランプ２６Ｒを点灯制御する（ステップ５８）し、同時にファン６を作動させ足先部分に微風を当てて乾燥作用を与えることができる（ステップ５９）。【００４１】
換言すると、ランプ支持部材２４は、一方または両方の足が検出されれば設定されたモードで図示しないタイマーで所定時間だけネジ棒２３上を移動したり静止し、両足が検出されなくなると一次停止する。また、一方または両方の足が検出されると運転を再開する。
左右側の紫外線ランプ２６Ｌ、２６Ｒは、対応する左足載置部１４Ｌまたは右足載置部１４Ｒ上に足が検出されると点灯し、足が検出されないと消灯する。
そして、運転中であっても、片足が外れたと検知されれば（ステップ６０）、対応する左右側の紫外線ランプは消灯する（ステップ６１）が、ランプ支持部材２４は所定のモードに従って移動する。【００４２】
このようにしてファン６を駆動した状態での前記紫外線ランプ２６Ｌ，２６Ｒ，２０の点灯による治療が一定時間行われると（ステップ６４）、ブザーが鳴ってファン６が停止し、同時にモータＭはランプ支持部材２４がネジ棒２３の先端位置に戻るまで回転してから停止し、また前記紫外線ランプ２６Ｌ，２６Ｒは消灯して運転終了となる（ステップ６５）。【００４３】
また、、運転中に、左右両足が外れたと検知されると（ステップ６２）、運転は一時停止（ステップ６３）し、ステップ５４に戻り、少なくとも一方の足が挿入されたと検知されると運転を再開する（ステップ５５）。
上記ステップ６３の一時停止は、タイマー経過（ステップ６４）により運転終了（ステップ６５）に進むようにしてもよい。【００４４】
なお、この発明は上記実施例に限定されるものではなく、ネジ棒に変えて循環ベルトにランプ支持部材を取り付ける構造であってもよい。
また、本実施例では移動手段およびランプ支持部材が１つであって左右側の紫外線ランプを同時に搭載した構成を示したが、各紫外線ランプ毎に支持部材を設け、各支持部材をそれぞれ独立して移動させる移動手段を設ける構造であってもよい。
その他、要するにこの発明の要旨を変更しない範囲で種々設計変更しうること勿論である。
【図１】
2006114819.tif 000002
【図２】
2006114819.tif 000003
【図３】
2006114819.tif 000004
【図４】
2006114819.tif 000005
【図５】
2006114819.tif 000006
【図６】
2006114819.tif 000007
【図７】
2006114819.tif 000008
【図８】
2006114819.tif 000009
【図９】
2006114819.tif 000010
【図１０】
2006114819.tif 000011
【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
左足載置部と右足載置部が形成されるように両足を揃えて載せることができる大きさとした上部ケーシングと、該上部ケーシングを支持する下部ケーシングと、前記上部ケーシング上に両足の爪先から甲の部分を覆う大きさで上部ケーシング上に取り付けたカバーとからなる紫外線治療器において、
上部ケーシングの左足載置部と右足載置部の載置面にはほぼ全域に亘って開口された複数の紫外線照射口と、
上部ケーシングに設けられて、前記左足載置部および右足載置部に挿入される足の有無を検知する左足センサーおよび右足センサーと、
下部ケーシングに設けられて、上記左足載置部および右足載置部の横幅方向に対応して配置された左側紫外線ランプおよび右側紫外線ランプと、
該左側紫外線ランプおよび右側紫外線ランプを支持するランプ支持部材と、
下部ケーシングに設けられて、上記ランプ支持部材を前記左足載置部および右足載置部の下方で前後方向に沿って移動可能な前後移動手段と、
該前後移動手段と前記左側紫外線ランプおよび右側紫外線ランプとを制御するコントローラとからなっており、
該コントローラは、左足センサーまたは右足センサーが左右双方または一方の足の挿入を検知すると、前後移動手段を所定の運転モードで運転すると共に、検知した左足センサーまたは右足センサーに対応する左側紫外線ランプまたは右側紫外線ランプを点灯し、
左足センサーおよび右足センサーが、左右双方の足の挿入が無いと検知すると前後移動手段の運転を停止し、左側紫外線ランプおよび右側紫外線ランプを消灯してなることを特徴とする紫外線治療器。
【請求項２】
前後移動手段が、下部ケーシングに両端が軸受けされると共に、外周にネジが刻設された回転軸と、該回転軸を回転させるモータと、ランプ支持部材に設けられると共に内周面にネジが刻設されて前記回転軸に螺合し、回転軸に沿って螺進退可能な筒状の受部とからなっていることを特徴とする請求項１に記載の紫外線治療器。
【請求項３】
ランプ支持部材の位置を検出する位置検出センサーを前後移動手段の移動範囲内に複数設置しておき、ランプ支持部材の移動を前後移動手段の移動範囲内で前記位置検出センサーの検出位置を基準として移動する複数の運転モードに設定することができることを特徴とする請求項１に記載の紫外線治療器。
【請求項４】
上部ケーシングに前後移動手段によってランプ支持部材を移動させる運転モードの入力部が設けられており、
該運転モードが、ランプ支持部材を左足載置部および右足載置部の前方位置となるつま先位置で静止させる第１モードと、ランプ支持部材を前方位置と中央位置との間で往復移動させる第２モードと、ランプ支持部材を中央位置と後方位置となるかかと位置との間で往復移動させる第３モードと、ランプ支持部材を前方位置と後方位置との間で往復移動させる第４モードとからなっており、
下部ケーシングにランプ支持部材の前方位置と、中央位置と、後方位置とをそれぞれ検出する位置検出センサーが設けられており、
コントローラによって入力部で入力された運転モードに従って前後移動手段を制御してなることを特徴とする請求項１に記載の紫外線治療器。
【請求項５】
コントローラの入力側に左足センサーと、右足センサーと、位置検出センサーと、運転モードの入力部とが接続され、出力側に前後移動手段のモータと、左側紫外線ランプと、右側紫外線ランプと、左足載置部および右足載置部の前方側から送風する送風用のファンとが接続されており、
該コントローラは、左足センサーおよび右足センサーの双方または一方が検知信号を出力すると、左側紫外線ランプおよび右側紫外線ランプの双方または一方を点灯すると共にファンを作動し、前記入力された作動モードに従って移動手段のモータの回転を制御して、ランプ支持部材を所定位置で静止し、または所定範囲で前後に移動させてなることを特徴とする請求項１に記載の紫外線治療器。
【請求項６】
左足載置部と右足載置部が形成されるように両足を揃えて載せることができる大きさとした上部ケーシングと、該上部ケーシングを支持する下部ケーシングと、前記上部ケーシング上に両足の爪先から甲の部分を覆う大きさで上部ケーシング上に取り付けたカバーとからなる紫外線治療器において、
上部ケーシングの左足載置部と右足載置部の載置面にはほぼ全域に亘って開口された複数の紫外線照射口と、
上部ケーシングに設けられて、前記左足載置部および右足載置部に挿入される足の有無を検知する左足センサーおよび右足センサーと、
下部ケーシングに設けられて、上記左足載置部および右足載置部の横幅方向に対応して配置された左側紫外線ランプおよび右側紫外線ランプと、
該左側紫外線ランプおよび右側紫外線ランプを支持するランプ支持部材と、
下部ケーシングに設けられて、上記ランプ支持部材を前記左足載置部および右足載置部の下方で前後方向に沿って移動可能な前後移動手段とからなり、
前記左足載置部と右足載置部とが足裏形状に形成されて上部ケーシングの基板部より下方へ窪んで形成されると共に、少なくとも１個所で連通する凹溝部を有しており、
前記窪んだ左足載置部と右足載置部に嵌合可能な足プレートを設け、
該足プレートは、左足載置部と右足載置部の足裏形状より僅かに小さい相似形からなる左足片部と右足片部と前記凹溝部に対応する個所で左足片部と右足片部とを一体に接続する接続片部とからなっており、前記左足片部と右足片部には、左足載置部と右足載置部の紫外線照射口と整合して連通する補助照射口を穿設してなることを特徴とする紫外線治療器。
【手続補正２】
【補正対象書類名】明細書
【補正対象項目名】０００４
【補正方法】変更
【補正の内容】
【０００４】
この発明は、上記課題を解決するために、請求項１の発明では、
左足載置部と右足載置部が形成されるように両足を揃えて載せることができる大きさとした上部ケーシングと、該上部ケーシングを支持する下部ケーシングと、前記上部ケーシング上に両足の爪先から甲の部分を覆う大きさで上部ケーシング上に取り付けたカバーとからなる紫外線治療器において、
上部ケーシングの左足載置部と右足載置部の載置面にはほぼ全域に亘って開口された複数の紫外線照射口と、
上部ケーシングに設けられて、前記左足載置部および右足載置部に挿入される足の有無を検知する左足センサーおよび右足センサーと、
下部ケーシングに設けられて、上記左足載置部および右足載置部の横幅方向に対応して配置された左側紫外線ランプおよび右側紫外線ランプと、
該左側紫外線ランプおよび右側紫外線ランプを支持するランプ支持部材と、
下部ケーシングに設けられて、上記ランプ支持部材を前記左足載置部および右足載置部の下方で前後方向に沿って移動可能な前後移動手段と、
該前後移動手段と前記左側紫外線ランプおよび右側紫外線ランプとを制御するコントローラとからなっており、
該コントローラは、左足センサーまたは右足センサーが左右双方または一方の足の挿入を検知すると、前後移動手段を所定の運転モードで運転すると共に、検知した左足センサーまたは右足センサーに対応する左側紫外線ランプまたは右側紫外線ランプを点灯し、
左足センサーおよび右足センサーが、左右双方の足の挿入が無いと検知すると前後移動手段の運転を停止し、左側紫外線ランプおよび右側紫外線ランプを消灯してなることを特徴とする。
請求項２の発明では、
前後移動手段が、下部ケーシングに両端が軸受けされると共に、外周にネジが刻設された回転軸と、該回転軸を回転させるモータと、ランプ支持部材に設けられると共に内周面にネジが刻設されて前記回転軸に螺合し、回転軸に沿って螺進退可能な筒状の受部とからなっていることを特徴とする。
また、請求項３の発明では、
ランプ支持部材の位置を検出する位置検出センサーを前後移動手段の移動範囲内に複数設置しておき、ランプ支持部材の移動を前後移動手段の移動範囲内で前記位置検出センサーの検出位置を基準として移動する複数の運転モードに設定することができることを特徴とする。
また、請求項４の発明では、
上部ケーシングに前後移動手段によってランプ支持部材を作動させる運転モードの入力部が設けられており、該運転モードが、ランプ支持部材を左足載置部および右足載置部の前方位置となるつま先位置で静止させる第１モードと、ランプ支持部材を前方位置と中央位置との間で往復移動させる第２モードと、ランプ支持部材を中央位置と後方位置となるかかと位置との間で往復移動させる第３モードと、ランプ支持部材を前方位置と後方位置との間で往復移動させる第４モードとからなっており、
下部ケーシングにランプ支持部材の前方位置と、中央位置と、後方位置とをそれぞれ検出する位置検出センサーが設けられており、
コントローラによって入力部で入力された運転モードに従って前後移動手段を制御してなることを特徴とする。
更に、請求項５の発明では、
コントローラの入力側に左足センサーと、右足センサーと、位置検出センサーと、運転モードの入力部とが接続され、出力側に前後移動手段のモータと、左側紫外線ランプと、右側紫外線ランプと、左足載置部および右足載置部の前方側から送風する送風用のファンとが接続されており、
該コントローラは、左足センサーおよび右足センサーの双方または一方が検知信号を出力すると、左側紫外線ランプおよび右側紫外線ランプの双方または一方を点灯すると共にファンを作動し、前記入力された作動モードに従って移動手段のモータの回転を制御して、ランプ支持部材を所定位置で静止し、または所定範囲で前後に移動させてなることを特徴とする。
また、請求項６の発明では、
左足載置部と右足載置部が形成されるように両足を揃えて載せることができる大きさとした上部ケーシングと、該上部ケーシングを支持する下部ケーシングと、前記上部ケーシング上に両足の爪先から甲の部分を覆う大きさで上部ケーシング上に取り付けたカバーとからなる紫外線治療器において、
上部ケーシングの左足載置部と右足載置部の載置面にはほぼ全域に亘って開口された複数の紫外線照射口と、
上部ケーシングに設けられて、前記左足載置部および右足載置部に挿入される足の有無を検知する左足センサーおよび右足センサーと、
下部ケーシングに設けられて、上記左足載置部および右足載置部の横幅方向に対応して配置された左側紫外線ランプおよび右側紫外線ランプと、
該左側紫外線ランプおよび右側紫外線ランプを支持するランプ支持部材と、
下部ケーシングに設けられて、上記ランプ支持部材を前記左足載置部および右足載置部の下方で前後方向に沿って移動可能な前後移動手段とからなり、
前記左足載置部と右足載置部とが足裏形状に形成されて上部ケーシングの基板部より下方へ窪んで形成されると共に、少なくとも１個所で連通する凹溝部を有しており、
前記窪んだ左足載置部と右足載置部に嵌合可能な足プレートを設け、
該足プレートは、左足載置部と右足載置部の足裏形状より僅かに小さい相似形からなる左足片部と右足片部と前記凹溝部に対応する個所で左足片部と右足片部とを一体に接続する接続片部とからなっており、前記左足片部と右足片部には、左足載置部と右足載置部の紫外線照射口と整合して連通する補助照射口を穿設してなることを特徴とする。
【国際調査報告】
2006114819.tif 000012
2006114819.tif 000013
2006114819.tif 000014
2006114819.tif 000015